(57)【要約】【課題】別部品を追加することなく、操作キーの操作性を向上させることができるスイッチ構造、及びこれを用いた表示装置を提供する。【解決手段】操作キー取付部１１０と、操作キー取付部１１０と対向して設けられ、少なくとも一部が開口１１１０から露出したスイッチ部２０３を有する基板２００と、開口端面１１１０Ａから、基板２００と略平行に突出した突出部１１１Ａと、突出部１１１Ａの先端に設けられ、ユーザによる、基板２００に向かう方向の押し操作を受け付ける操作受付部１１１Ｂと、操作受付部１１１Ｃから、突出部１１１Ａとの間で予め定められた第１角度をなす方向に延び、スイッチ部２０３を押すための押し部１１１Ｃと、を有する操作キー１１１と、を備える。【選択図】図３
2014203592.tif 000002
【特許請求の範囲】
【請求項１】
開口が設けられた操作キー取付部と、
前記操作キー取付部と対向して設けられ、前記操作キー取付部の前記開口から少なくとも一部が露出したスイッチ部を有する基板と、
前記開口の端面である開口端面から、前記基板と略平行に突出した突出部と、当該突出部の先端に設けられ、ユーザによる、前記基板に向かう方向の押し操作を受け付ける操作受付部と、前記操作受付部から、前記突出部に対して予め定められた第１角度をなす方向に延び、前記スイッチ部を押すための押し部と、を有する操作キーと、を備える
スイッチ構造。
【請求項２】
前記第１角度は９０度である
請求項１に記載のスイッチ構造。
【請求項３】
前記スイッチ部は、前記押し部によって押されるスイッチ本体部と、当該スイッチ本体部の外周部を取り囲むハウジングとを備え、
前記押し部は、前記スイッチ本体部側の表面を有しており、当該表面は、前記スイッチ本体部の表面に対して、予め定められた第２角度で傾斜している
請求項１又は２に記載のスイッチ構造。
【請求項４】
前記突出部には、前記操作受付部から前記開口端面に向かう方向に延びるリブが設けられている
請求項１〜３のいずれか１項に記載のスイッチ構造。
【請求項５】
前記突出部と前記開口端面との接続部には、凹部が形成されている
請求項１〜３のいずれか１項に記載のスイッチ構造。
【請求項６】
前記操作キー取付部と、前記操作キーとは樹脂で構成され、
前記ハウジングは、外形が四角形状の金属板で構成され、
前記金属板の四隅が前記操作キー取付部及び前記操作キーで覆われている
請求項３に記載のスイッチ構造。
【請求項７】
前記第２角度をθ、前記スイッチ本体部が操作されていない状態における、前記スイッチ本体部の前記表面から、前記押し部のうち前記スイッチ本体部の前記表面に当たる箇所（以下、作用点という）までの距離をａ、前記作用点が前記スイッチ本体部の表面に接触してから、前記スイッチ本体部が押し込まれるまでの間に、前記作用点が前記スイッチ本体部を押し込む距離をｂ、前記作用点によって前記スイッチ本体部が押し込まれている状態における、前記突出部と前記金属板との間の距離をｃとしたとき、
前記θは、以下の式１を満たす
請求項３に記載のスイッチ構造。
θ＞ｔａｎ−１｛（ａ＋ｂ）／ｃ｝・・・（式１）
【請求項８】
前記操作受付部は、凸状のキー部である
請求項１〜７のいずれか１項に記載のスイッチ構造。
【請求項９】
請求項１〜８のいずれか１項に記載のスイッチ構造と、
画像を表示する表示部と、
前記表示部の外周部を取り囲むフロントキャビネットと、を備え、
前記操作キー取付部は、フロントキャビネットの下部に設けられている
表示装置。
【発明の詳細な説明】
【技術分野】
【０００１】
本発明は、スイッチ構造、およびこれを用いた表示装置に関する。
【背景技術】
【０００２】
液晶ディスプレイ装置は、近年、ベゼルの狭小化、及び、奥行き方向の薄型化が求められている。そのため、液晶パネルを取り囲むフロントキャビネットは、液晶ディスプレイを前面視した場合、上下方向、左右方向、及び奥行き方向の寸法が小さくなるように形成されている。このような寸法が小さなフロントキャビネットに、液晶パネルの各種設定を行うための操作キーを設ける技術が、特許文献１に記載の技術を含め、存在する。
【０００３】
図１３は、従来の操作キーの構造を示した図である。なお、図１３において、前方向をＹ１で表し、後方向をＹ２で表している。
【０００４】
この例では、図１３の（ａ）のように、フロントキャビネット１１に対して蓋３００が開閉自在に取り付けられている。蓋３００の前面には、複数の操作キー４００が設けられている。図１３の（ｂ）は、蓋３００を開けた状態であり、スイッチ部２０３が前方向を向くように、基板２００がリブ５００によって固定されている。この構成によれば、蓋３００を閉じた状態で操作キー４００を押せば、スイッチ部２０３が押される。
【０００５】
ところが、このように、蓋３００に操作キー４００を取り付ける方法では、蓋３００を別途設ける必要があり、コストアップの要因となりうる。
【０００６】
一方で、別部品を追加することなく、操作キーを形成する方法がある。図１４は、別部品を追加することなく形成された操作キーを示した側面図である。なお、図１４において、左方向をＸ１で表し、右方向をＸ２で表す。また、前方向をＹ１で表し、後方向をＹ２で表す。また、下方向をＺ２で表す。
【０００７】
図１４では、フロントキャビネット１１の下部には、複数のリブ（不図示）が、基板２００を保持するために設けられている。基板２００は、各リブによって、基板２００の薄手方向に挟みつけられるようにして保持される。
【０００８】
フロントキャビネット１１には、開口１１１０が形成されている。開口１１１０からは、基板２００に配置されたスイッチ部２０３が露出している。スイッチ部２０３は、後述するように、操作キー４００によって押し込まれるスイッチ本体部２０１と、スイッチ本体部２０１を取り囲み、外形が四角形状の金属板２０２とを備える。
【０００９】
開口１１１０の端面１１１０Ａからは、突出部４０１が突出しており、突出部４０１の先端に、ユーザによる押し操作を受け付ける操作キー４００が形成されている。
【００１０】
突出部４０１は、フロントキャビネット１１に対して前方向の弾性力を有しており、操作キー４００が操作されると、突出部４０１が弾性力に反して後方向に押され、接触面４００Ｓがスイッチ本体部２０１の表面を押す。このように、別部品を追加することなく、フロントキャビネット１１の狭い領域を有効利用して、操作キー４００を形成している。
【先行技術文献】
【特許文献】
【００１１】
【特許文献１】特開２００７−１１０１２号公報
【発明の概要】
【発明が解決しようとする課題】
【００１２】
しかしながら、上記した操作キーには、以下の課題がある。図１５は、図１４の操作キーの課題について説明するための図である。なお、図１５の（ａ）は、操作キー４００の平面図、図１５の（ｂ）は、操作キー４００の斜視図、図１５の（ｃ）は、突出部４０１と金属板２０２との位置関係を表す斜視図である。
【００１３】
操作キー４００は、図１５の（ａ）及び図１５の（ｂ）に示すように、開口１１１０の端面である開口端面１１１０Ａから突出した突出部４０１の先端に設けられている。そして、スイッチ本体部２０１と、スイッチ本体部２０１を取り囲む四角形状の金属板２０２と、が開口１１１０から露出している。
【００１４】
この構成によると、操作キー４００を押したときに、図１５の（ｂ）及び図１５の（ｃ）に示すように、操作キー４００がしっかりとスイッチ本体部２０１を押さない状態で、突出部４０１の上面がスイッチ部２０３の金属板２０２と当たるケースがよくある。
【００１５】
特に、図１６のように、突出部４０１において、開口端面１１１０Ａから操作キー４００までの距離ｈが十分に確保されていない場合、突出部４０１の弾性力に逆らって操作キー４００を押すことが困難である。
【００１６】
また、フロントキャビネット１１に図１７Ａのような操作キー４００を形成しようとしても、大抵のフロントキャビネット１１には、図１７Ｂのように、基板２００を固定するための複数のリブ５００が存在する。通常、図１７Ａのような操作キー４００を、金型を用いて樹脂で形成するには、金型にスライド機構が必要とされるが、図１７Ｂのようにリブ５００が設けられている場合は、スライド機構を使用できない。
【００１７】
本発明は、上述の課題を解決するためになされたものであり、別部品を追加することなく、操作キーの操作性を向上させることができるスイッチ構造、及びこれを用いた表示装置を提供することを目的とする。
【課題を解決するための手段】
【００１８】
上記目的を達成するために、本発明の一態様に係るスイッチ構造は、開口が設けられた操作キー取付部と、前記操作キー取付部と対向して設けられ、前記操作キー取付部の前記開口から少なくとも一部が露出したスイッチ部を有する基板と、前記開口の端面である開口端面から、前記基板と略平行に突出した突出部と、当該突出部の先端に設けられ、ユーザによる、前記基板に向かう方向の押し操作を受け付ける操作受付部と、前記操作受付部から、前記突出部に対して予め定められた第１角度をなす方向に延び、前記スイッチ部を押すための押し部と、を有する操作キーと、を備える。
【００１９】
この構成によると、突出部は、スイッチ部を押すための押し部との間で予め定められた第１角度をなす方向に延びているので、突出部の表面のうちスイッチ部と対向する部分の面積を極力小さくすることができる。
【００２０】
そのため、操作受付部がユーザによる押し操作を受け付けたときに、突出部がスイッチ部に当たりにくくなる。その結果、別部品を追加することなく、操作キーの操作性を向上させることができる。
【００２１】
例えば、前記第１角度は９０度であってもよい。
【００２２】
この構成によると、突出部と押し部との間の角度が９０度であるので、突出部を、容易に、スイッチ部と対向しないように設けることができる。
【００２３】
また、前記スイッチ部は、前記押し部によって押されるスイッチ本体部と、当該スイッチ本体部の外周部を取り囲むハウジングとを備え、前記押し部は、前記スイッチ本体部側の表面を有しており、当該表面は、前記スイッチ本体部の表面に対して、予め定められた第２角度で傾斜していてもよい。
【００２４】
この構成によれば、スイッチ本体部の表面に接触する押し部のうち、スイッチ本体部側の表面は、スイッチ本体部の表面に対してとの間で、第２角度で傾斜している。これにより、操作受付部がユーザによる押し操作を受け付けた際に、押し部の傾斜の先端がスイッチ部を押すこととなる。その結果、ユーザは、軽快なクリック感を得ることができる。
【００２５】
或いは、前記突出部には、前記操作受付部から前記開口端面に向かう方向に延びるリブが設けられていてもよい。
【００２６】
この構成によると、突出部には、操作受付部から開口端面に向かう方向に延びるリブが設けられているので、突出部は、リブが設けられている部分の剛性が強く、開口端面近辺の部分の剛性が弱い。
【００２７】
そのため、操作受付部がユーザによる押し操作を受け付けた際に、開口端面近辺を支点として押し部が軽快に動き、スイッチ本体部の表面を押す。これにより、ユーザは、弱い力で押し操作をしても、軽快なクリック感を得ることができる。
【００２８】
また、前記突出部と前記開口端面との接続部には、凹部が形成されていてもよい。
【００２９】
この構成によると、突出部と開口端面との接続部には、凹部が形成されているので、突出部は、凹部部分の剛性が弱く、それ以外の部分の剛性が強い。
【００３０】
そのため、操作受付部がユーザによる押し操作を受け付けた際に、凹部を支点として押し部が軽快に動き、スイッチ本体部の表面を押す。これにより、ユーザは、弱い力で押し操作をしても、軽快なクリック感を得ることができる。
【００３１】
また、前記操作キー取付部と、前記操作キーとは樹脂で構成され、前記ハウジングは、外形が四角形状の金属板で構成され、前記金属板の四隅が前記操作キー取付部及び前記操作キーで覆われていてもよい。
【００３２】
この構成によると、スイッチ本体部を取り囲む四角形状の金属板の四隅が樹脂に覆われているため、スイッチ部における静電気の発生を低減することができる。
【００３３】
また、前記第２角度をθ、前記スイッチ本体部が操作されていない状態における、前記スイッチ本体部の前記表面から、前記押し部のうち前記スイッチ本体部の前記表面に当たる箇所（以下、作用点という）までの距離をａ、前記作用点が前記スイッチ本体部の表面に接触してから、前記スイッチ本体部が押し込まれるまでの間に、前記作用点が前記スイッチ本体部を押し込む距離をｂ、前記作用点によって前記スイッチ本体部が押し込まれている状態における、前記突出部と前記金属板との間の距離をｃとしたとき、前記θは、以下の式１を満たすようにしてもよい。
【００３４】
θ＞ｔａｎ−１｛（ａ＋ｂ）／ｃ｝・・・（式１）
【００３５】
この構成によると、第２角度が式１を満たせば、スイッチ部と突出部が干渉することなく、スイッチ部を押すことができる。
【００３６】
また、前記操作受付部は、凸状のキー部であってもよい。
【００３７】
この構成によると、操作受付部が凸状のキー部であるため、操作受付部がユーザの押し操作を受け付けやすくなる。
【００３８】
また、本発明の他の態様に係る表示装置は、請求項１〜８のいずれか１項に記載のスイッチ構造と、画像を表示する表示部と、前記表示部の外周部を取り囲むフロントキャビネットと、を備え、前記操作キー取付部は、フロントキャビネットの下部に設けられている。
【００３９】
この構成によると、先述のスイッチ構造を備えるため、先述の効果を奏する表示装置を提供することができる。
【発明の効果】
【００４０】
本発明によると、別部品を追加することなく、操作キーの操作性を向上させることができる。
【図面の簡単な説明】
【００４１】
【図１】本発明の実施の形態１に係る液晶ディスプレイ装置の外観の一例を示した斜視図である。
【図２】図１の液晶ディスプレイ装置を分解した状態を示す分解斜視図である。
【図３】本発明の実施の形態１に係るスイッチ構造の一例を示した平面図である。
【図４】操作キーとスイッチ部との位置関係の一例を示した斜視図である。
【図５】図３のＡ−Ａ線断面図である。
【図６】押し部がスイッチ本体部に当たっている状態を示した斜視図である。
【図７】第２角度の定め方について説明するための図であり、スイッチ本体部を押している状態の操作キーを表す斜視図である。
【図８】第２角度の定め方について説明するための図であり、図８の（ａ）は操作キーとスイッチ部との表面図を表し、図８の（ｂ）は図８の（ａ）のＡ−Ａ線断面図である。
【図９】本発明の実施の形態２に係るスイッチ構造の一例を示した平面図である。
【図１０】実施の形態２に係るスイッチ構造を有するフロントキャビネットの一例を示した平面図である。
【図１１】本発明の実施の形態３に係るスイッチ構造の一例を示した図である。
【図１２Ａ】本発明の実施の形態４に係るスイッチ構造の一例を示した斜視図である。
【図１２Ｂ】図１２Ａの側面図である。
【図１３】従来の操作キーの構造を示した図である。
【図１４】別部品を追加することなく形成された操作キーを示した側面図である。
【図１５】図１４の操作キーの課題について説明するための図である。
【図１６】図１４の操作キーの課題について説明するための図である。
【図１７Ａ】スライド機構を用いて操作キーを形成する際の問題について説明するための図である。
【図１７Ｂ】スライド機構を用いて操作キーを形成する際の問題について説明するための図である。
【発明を実施するための形態】
【００４２】
以下、本発明の実施の形態について、図面を用いて詳細に説明する。なお、本実施の形態では、本発明の実施の形態に係る表示装置として液晶ディスプレイ装置を例示しているが、この例には限られず、薄型化が求められる表示装置であり、液晶パネルを取り囲むフロントキャビネットに操作キーを設ける必要がある装置であれば、何を用いてもよい。
【００４３】
また、以下で説明する実施の形態は、いずれも包括的または具体的な例を示すものである。以下の実施の形態で示される構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００４４】
（実施の形態１）
＜液晶ディスプレイ装置の構成＞
図１は、本発明の実施の形態１に係る液晶ディスプレイ装置の外観の一例を示した斜視図である。図２は、図１の液晶ディスプレイ装置を分解した状態を示す分解斜視図である。なお、図１及び図２において、液晶ディスプレイ装置の水平方向をＸ軸方向で表し、垂直方向をＹ軸方向で表し、厚さ方向をＺ軸方向で表している。
【００４５】
液晶ディスプレイ装置１０は、図１に示すように、液晶パネル１３を取り囲むフロントキャビネット１１を備える。フロントキャビネット１１の下部には、操作キー取付部１１０が設けられている。
【００４６】
液晶ディスプレイ装置１０は、図２に示すように、フロントキャビネット１１、ベゼル１２、液晶パネル（表示部）１３、セルガイド１４、光学シート１５、反射シート１６、及び、リアフレーム１７を備えている。なお、光学シート１５は、拡散板等、複数の部材で構成されている。
【００４７】
＜スイッチ構造の構成＞
図３は、本発明の実施の形態１に係るスイッチ構造の一例を示した平面図である。図４は、操作キーとスイッチ部との位置関係の一例を示した斜視図である。図５は、図３のＡ−Ａ線断面図である。図６は、押し部がスイッチ本体部に当たっている状態を示した斜視図である。
【００４８】
なお、図３〜図６において、液晶ディスプレイ装置１０の水平方向をＸ軸方向で表し、垂直方向をＹ軸方向で表し、厚さ方向をＺ軸方向で表している。
【００４９】
操作キー取付部１１０は、先述のように、フロントキャビネット１１の下部に設けられている。操作キー取付部１１０には、図３に示すように、開口１１１０が形成されている。基板２００は、操作キー取付部１１０（つまりフロントキャビネット１１の下部）の裏面と対向するように、先述したリブによって固定されている。基板２００には、スイッチ部２０３が開口１１１０から露出するように設けられている。
【００５０】
スイッチ部２０３は、押し操作を受け付けるスイッチ本体部２０１を備える。スイッチ本体部２０１は、外形が四角形状の金属板２０２で構成されたハウジングに収容されている。金属板２０２は、スイッチ本体部２０１の外周部を取り囲む。スイッチ本体部２０１の表面は、当該表面の中心２０４（図４参照）が押された際に少しだけ凹む。スイッチ本体部２０１には、図示しないスイッチ本体が内蔵されている。内蔵されたスイッチ本体は、スイッチ本体部２０１の中心２０４が押された際に少し凹むので、これに応じてオンオフする。
【００５１】
一方で、操作キー１１１は、突出部１１１Ａと、キー部１１１Ｂと、押し部１１１Ｃとから構成されている。
【００５２】
突出部１１１Ａは、図３に示すように、開口１１１０の端面（以下、“開口端面”という）１１１０Ａから、開口端面１１１０Ａと直交する方向に突出して形成されている。
【００５３】
突出部１１１Ａの先端には、図４に示すように、ユーザによる押し操作を受け付ける凸状のキー部（操作受付部）１１１Ｂが設けられている。このように操作受付部が、凸状のキー部１１１Ｂで形成されているため、操作受付部がユーザによる押し操作を受け付けやすくなる。
【００５４】
キー部１１１Ｂからは、図３及び図４に示すように、突出部１１１Ａとの間で予め定められた第１角度（ここでは９０度）をなす方向に、押し部１１１Ｃが設けられている。押し部１１１Ｃの先端１１１Ｅは、スイッチ本体部２０１の中心２０４の真上に位置するように設けられている。
【００５５】
操作キー１１１において、図４及び図５に示すように、押し部１１１Ｃの裏面（スイッチ本体部２０１側の表面）１１１Ｄは、スイッチ本体部２０１の表面との間で、予め定められた所定の角度θ（第２角度）がつけられている。押し部１１１Ｃは、スイッチ本体部２０１との間で角度θをつけるために、液晶ディスプレイ装置１０のＺ軸方向とは逆方向に向かうにつれて、押し部１１１Ｃの裏面１１１Ｄがスイッチ本体部２０１と角度θを保持しながら離れるように設けられている。
【００５６】
＜スイッチ構造の動作＞
以下、キー部１１１Ｂがユーザによって押し操作された場合の操作キー１１１の動作について、図４〜図６を用いて説明する。
【００５７】
ユーザがキー部１１１Ｂを押すと、突出部１１１Ａがその弾性力に逆らって上方向にしなる。これに伴い、押し部１１１Ｃが下方向へ下がる。押し部１１１Ｃの裏面１１１Ｄは、図４及び図５に示すように、液晶ディスプレイ装置１０のＺ軸方向とは逆方向に向かうにつれて、スイッチ本体部２０１の表面から離れるように、スイッチ本体部２０１の表面との間で角度θがつけられている。
【００５８】
そのため、押し部１１１Ｃが下がると、まず、押し部１１１Ｃのうち最もスイッチ本体部２０１に近い先端１１１Ｅがスイッチ本体部２０１に当たる（図６参照）。そして、キー部１１１Ｂの操作に伴って、押し部１１１Ｃの裏面１１１Ｄが、先端１１１Ｅから後端部１１１Ｆにかけてスイッチ本体部２０１の表面に当たってゆく。これにより、先端１１１Ｅがスイッチ本体部２０１に嵌まり込む。その結果として、スイッチ本体部２０１に内蔵されたスイッチ本体が押される。
【００５９】
＜第２角度θの定め方＞
以下、第２角度θの定め方について、先述の図４と、図７と、図８とを用いて説明する。図７は、第２角度θの定め方について説明するための図であり、スイッチ本体部２０１を押している状態の操作キー１１１を表す斜視図である。
【００６０】
図８は、第２角度θの定め方について説明するための図であり、図８の（ａ）は操作キー１１１とスイッチ部２０３との表面図を表し、図８の（ｂ）は図８（ａ）のＡ−Ａ線断面図である。
【００６１】
図７及び図８において、ａは、キー部１１１Ｂが押されていない状態における、スイッチ本体部２０１の表面から、押し部１１１Ｃのうちスイッチ本体部２０１の表面に当たる箇所（以下、作用点という）１１１Ｇまでの距離（図４参照）を表している。
【００６２】
ｂは、作用点１１１Ｇがスイッチ本体部２０１の表面に接触してから、スイッチ本体がオンするまでの間に、作用点１１１Ｇがスイッチ本体部２０１を押し込む距離を表している。
【００６３】
ｃは、作用点１１１Ｇによってスイッチ本体部２０１が押し込まれている状態における、突出部１１１Ａと金属板２０２との間の最短距離を表している。
【００６４】
ｄは、突出部１１１Ａと金属板２０２との間の最短距離が得られる点１１１Ｈから金属板２０２に向けた垂線が金属板２０２と交わる点２０５と、スイッチ本体部２０１の中心２０４までの距離を表している。
【００６５】
先述の変数ａ〜ｄを用いて、キー部１１１Ｂがユーザによって押された際に、突出部１１１Ａがスイッチ部２０３に当たらないような条件式を作成すると、θ＞ｔａｎ−１｛（ａ＋ｂ）／ｃ｝・・・（式１）が得られる。（式１）は以下のようにして得られる。
【００６６】
まず、ユーザによってキー部１１１Ｂが押されたときに、突出部１１１Ａが金属板２０２に当たらない条件式は、ａ＋ｂ＜ｃ・・・（式２）である。
【００６７】
そして、先述のように、押し部１１１Ｃの表面１１１Ｄは、スイッチ本体部２０１の表面との間で第２角度θをなすので、図７に示されるように、点１１１Ｇ、点１１１Ｈ、及び点２０５を頂点とする直角三角形が得られる。この直角三角形を利用してｃをθを用いて表すと、ｃ＝ｄ×ｔａｎθ・・・（式３）が得られる。
【００６８】
そして、式３を式２に代入して、θをａ、ｂ、及びｃで表すと、（式１）が得られる。
【００６９】
第２角度θが式１を満たせば、キー部１１１Ｂがユーザによって押された際、突出部１１１Ａがスイッチ部２０３に当たらない。
【００７０】
以上に説明したように、本発明の実施の形態１に係るスイッチ構造によると、押し部１１１Ｃと予め定められた第１角度（ここでは９０度）をつけて、突出部１１１Ａが形成されている。
【００７１】
そのため、突出部の表面のうちスイッチ部と対向する面積を極力小さくすることができる。その結果、キー部１１１Ｂがユーザによる押し操作を受け付けたときに、突出部１１１Ａがスイッチ部２０３に当たりにくくなる。その結果、別部品を追加することなく、操作キー１１１の操作性を向上させることができる。
【００７２】
また、押し部１１１Ｃと突出部１１１Ａとが所定の角度をつけて形成されることにより操作キー１１１が形成されているので、従来の操作キー４００（図１２参照）と同様に、別部品を追加することなく、フロントキャビネット１１の狭い領域内に、操作キー１１１を設けることができる。その結果、コストを低減することができる。
【００７３】
また、フロントキャビネット１１の狭い領域内に操作キー１１１を設けることができるので、液晶ディスプレイ装置１のベゼル１２の狭小化、及び、液晶ディスプレイ装置１の前後方向の薄型化が可能となる。
【００７４】
さらに、押し部１１１Ｃと突出部１１１Ａとが所定の角度をつけて形成されることにより操作キー１１１が形成されているので、操作キー１１１を形成するのに複雑な金型構造を必要としない。よってコストの低減を図ることができる。
【００７５】
さらに、キー部１１１が押されたとき、押し部１１１Ｃがスイッチ本体部２０１に押し込まれるので、スイッチ本体が軽快にオンオフする。よって、ユーザは軽快なクリック感を得ることができる。
【００７６】
（実施の形態２）
図９は、本発明の実施の形態２に係るスイッチ構造の一例を示した平面図である。図１０は、実施の形態２に係るスイッチ構造を有するフロントキャビネットの一例を示した平面図である。なお、図９及び図１０において、図３に示したスイッチ構造と同様の構成要素には同一符号を付して説明を省略する。
【００７７】
この例では、フロントキャビネット１１の下部（操作キー取付部）、及び、操作キー１１１は、プラスチック等の絶縁性を有する樹脂で構成されている。
【００７８】
スイッチ部２０３の金属板２０２の４つの頂点２０２Ａ〜２０２Ｄには、信号線やグランド線が接続されることが多い。そのため、外部からの静電気が金属板２０２へ到達することを防ぐことができるように、各頂点は、先述の樹脂で覆われている。
【００７９】
このように、金属板２０２の４つの頂点２０２Ａ〜２０２Ｄを樹脂で覆うために、突出部１１１Ａ’を、開口端面１１１０Ａから９０度よりも小さな角度の方向に突出させて形成している。そして、突出部１１１Ａ’の先端には、キー部１１１Ｂ’が設けられている。このキー部１１１Ｂ’は、当該キー部１１１Ｂ’が金属板２０２の頂点２０２Ｃを覆うように、設けられている。そして、キー部１１１Ｂ’からは、押し部１１１Ｃ’が、突出部１１１Ａ’とおよそ４５度の角度をなす方向に設けられている。
【００８０】
このように、実施の形態２に係るスイッチ構造によると、突出部１１１Ａ’が開口端面１１１０Ａから９０度よりも小さな角度の方向に突出し、且つ、押し部１１１Ｃ’が、突出部１１１Ａ’とおよそ４５度の角度をなす方向に設けられている。
【００８１】
これにより、外部からの静電気が金属板２０２へ到達することを防ぐことができる。また、キー部１１１Ｂ’が押されたときに、突出部１１１Ａ’が反ることを低減することができる。
【００８２】
（実施の形態３）
図１１は、本発明の実施の形態３に係るスイッチ構造の一例を示した斜視図である。図１１では、突出部１１１Ａに、キー部１１１Ｂから開口端面１１１０Ａに向かう方向に延びるリブ１１１Ｉが設けられている。これにより、突出部１１１Ａは、リブ１１１Ｉが設けられている部分の剛性が強く、開口端面１１１０Ａ近辺の部分の剛性が弱くなる。
【００８３】
そのため、キー部１１１Ｂがユーザによる押し操作を受け付けた際に、開口端面１１１０Ａ近辺を支点として押し部１１１Ｃが軽快に動き、スイッチ本体部２０１の表面を押す。これにより、ユーザは、弱い力で押し操作をしても、軽快なクリック感を得ることができる。
【００８４】
（実施の形態４）
図１２Ａは、本発明の実施の形態４に係るスイッチ構造の一例を示した斜視図である。図１２Ｂは、図１２Ａの側面図である。
【００８５】
図１２Ａでは、突出部１１１Ａと開口端部１１１０Ａとの接続部には、凹部１１１Ｊが形成されている。そのため、突出部１１１Ａは、凹部１１１Ｊ部分の剛性が弱く、それ以外の部分の剛性が強い。
【００８６】
そのため、キー部１１１Ｂがユーザによる押し操作を受け付けた際に、凹部１１１Ｊを支点として押し部１１１Ｃが軽快に動き、スイッチ本体部２０１の表面を押す。これにより、ユーザは、弱い力で押し操作をしても、軽快なクリック感を得ることができる。
【００８７】
以上、本発明に係るスイッチ構造及び表示装置について、実施の形態に基づいて説明したが、本発明は、このような実施の形態に限定されない。本発明の主旨を逸脱しない範囲で、実施の形態に対して当業者が思いつく各種変形を施して得られる形態、及び、実施の形態の構成要素を任意に組み合わせて得られる別の形態も、本発明に含まれる。
【産業上の利用可能性】
【００８８】
本発明は、例えば、液晶ディスプレイ装置など、狭い領域に操作キーを設ける必要のある装置に適用できる。
【符号の説明】
【００８９】
１０  液晶ディスプレイ装置
１１  フロントキャビネット
１３  液晶パネル
１１０  操作キー取付部
１１１  操作キー
１１１Ａ  突出部
１１１Ｂ  キー部
１１１Ｃ  押し部
１１１Ｄ  押し部の表面
１１１Ｇ  作用点
１１１Ｉ  リブ
１１１Ｊ  凹部
１１１０  開口
１１１０Ａ  開口端面
２００  基板
２０１  スイッチ本体部
２０２  金属板
２０２Ａ〜２０２Ｄ  金属板の頂点
２０３  スイッチ部
【図１】
2014203592.tif 000003
【図２】
2014203592.tif 000004
【図３】
2014203592.tif 000005
【図４】
2014203592.tif 000006
【図５】
2014203592.tif 000007
【図６】
2014203592.tif 000008
【図７】
2014203592.tif 000009
【図８】
2014203592.tif 000010
【図９】
2014203592.tif 000011
【図１０】
2014203592.tif 000012
【図１１】
2014203592.tif 000013
【図１２Ａ】
2014203592.tif 000014
【図１２Ｂ】
2014203592.tif 000015
【図１３】
2014203592.tif 000016
【図１４】
2014203592.tif 000017
【図１５】
2014203592.tif 000018
【図１６】
2014203592.tif 000019
【図１７Ａ】
2014203592.tif 000020
【図１７Ｂ】
2014203592.tif 000021